(57)【特許請求の範囲】
【請求項１】
被写体の撮影を行なう撮影手段と、該撮影に基づいて画像を作成してプリント紙に出力する画像出力手段とを備える写真プリントシステムにおいて、
上記撮影手段から見て被写体の後方となる位置にて被写体の背景となる背景画像を表示する背景表示手段を備え、
上記背景表示手段は、背景画像の一部を表示する部分背景表示手段と、該部分背景表示手段を移動させる部分背景移動手段とを備え、
上記部分背景表示手段は、発光素子を複数備えるものであり、上記部分背景移動手段による移動に同期して上記発光素子の表示を変化させることを特徴とする写真プリントシステム。
【請求項２】
上記背景表示手段が表示する背景画像の作成を行なう背景作成手段を備えることを特徴とする請求項１に記載の写真プリントシステム。
【請求項３】
上記撮影手段と上記背景表示手段との間に、光の伝搬方向を変化させる光偏向手段を備えることを特徴とする請求項１に記載の写真プリントシステム。
【請求項４】
上記光偏向手段を移動させる光偏向移動手段を備えることを特徴とする請求項３に記載の写真プリントシステム。
【請求項５】
被写体の撮影を行なう撮影手段と、該撮影に基づいて画像を作成してプリント紙に出力する画像出力手段と、上記撮影手段から見て被写体の後方となる位置にて被写体の背景となる背景画像を表示する背景表示手段とを備えた写真プリントシステムを制御する写真プリントシステム制御方法であって、
利用者が上記背景画像を選択または作成し、
利用者が選択または作成した上記背景画像を上記背景表示手段が表示するとともに、表示された背景画像を背景として、上記撮影手段が被写体を撮影するように制御を行ない、
上記背景表示手段は、背景画像の一部を表示する部分背景表示手段と、該部分背景表示手段を移動させる部分背景移動手段とを備えており、
上記部分背景表示手段は、発光素子を複数備え、上記部分背景移動手段による移動に同期して上記発光素子の表示を変化させるものであり、
上記撮影手段による被写体の撮影中に、部分背景表示手段を移動するように、部分背景移動手段の制御を行なうことを特徴とする写真プリントシステム制御方法。
【請求項６】
上記撮影手段と上記背景表示手段との間に、光の伝搬方向を変化させる光偏向手段と、上記光偏向手段を移動させる光偏向移動手段とをさらに備えており、
上記光偏向手段を移動するように、上記光偏向移動手段の制御を行なうことを特徴とする請求項５に記載の写真プリントシステム制御方法。
【請求項７】
請求項５または６に記載の写真プリントシステム制御方法をコンピュータに実行させるための写真プリントシステム制御プログラム。
【請求項８】
請求項７に記載の写真プリントシステム制御プログラムを記録したコンピュータ読取り可能な記録媒体。
【請求項９】
請求項１ないし４のいずれか１項に記載の写真プリントシステムに用いられるプリント紙ユニットであって、
画像が印刷されるプリント紙と、上記プリント紙に関する識別情報を記録する識別媒体とを備え、
上記写真プリントシステムに備えられた識別情報読取手段によって、上記識別媒体に記録されている識別情報が読み取られ、その内容が確認された上で上記プリント紙に画像が出力されることを特徴とするプリント紙ユニット。
【発明の詳細な説明】
【０００１】
【発明の属する技術分野】
本発明は、被写体を撮影するとともに、該撮影により取得された画像に基づき、所望の場合には該画像に編集処理を施した上で、シール紙などのプリント紙にプリント出力する写真プリントシステムに関するものである。
【０００２】
【従来の技術】
従来の写真プリントシステムとしては、撮影装置の前方の空間であって、撮影が行なわれる撮影空間の後方にカーテンを配置し、該カーテンを背景として被写体の撮影を行なうシステムが知られている。
【０００３】
また、色彩や模様の異なる複数枚のカーテンを撮影空間の後方に配置し、利用者により選択されたカーテンを背景として被写体の撮影を行なうシステムが知られており、例えば、実用新案登録第3047910号（公報発行日：平成10年(1998)４月28日）に開示されている。
【０００４】
また、従来の写真プリントシステムとしては、該システム内部に種々の画像データを記憶しておき、利用者により選択された画像データを、撮影装置によって取得された撮影画像と合成し、合成された画像をプリント出力するシステムが知られている。
【０００５】
このようなシステムにおいて、画像データを撮影画像の背景として合成する方法としては、撮影画像から画像抽出技術により画像の被写体領域を抽出し、抽出した画像と前記画像データとを合成するマスク合成方法や、撮影画像における特定の色を透明化して、前記画像データと合成するクロマキー合成方法が知られている。
【０００６】
【発明が解決しようとする課題】
写真プリントシステムの利用者は、多種多様なプリント画像を取得することを所望しており、このため、多種多様な背景で撮影する、または、多種多様な背景画像と合成することを所望している。
【０００７】
しかしながら、上記のように、被写体の背景として、単数または複数のカーテンを用いた従来の写真プリントシステムでは、背景の数がカーテンの枚数またはその組合せ枚数となり、また、設置スペースの関係上、カーテンの設置枚数が制限されるため、充分な種類の背景を提供するまでには至らない。
【０００８】
また、画像データを撮影画像の背景として合成する従来の写真プリントシステムでは、内部の記憶装置に多数の画像のデータを格納することにより、設置スペースに関係なく、多種多様な背景画像と合成することができる。しかしながら、撮影された被写体画像と背景画像との境界は、明確な分、かえって不自然なものとなる。
【０００９】
本発明は上記の問題点を解決するためになされたもので、その目的は、背景が多種多様であり、かつ、背景と被写体との境界が自然である画像をプリント出力できる写真プリントシステムを提供することにある。
【００１０】
【課題を解決するための手段】
上記の課題を解決するために、本発明の写真プリントシステムは、被写体の撮影を行なう撮影手段と、該撮影に基づいて画像を作成してプリント紙に出力する画像出力手段とを備える写真プリントシステムにおいて、上記撮影手段から見て被写体の後方となる位置にて被写体の背景となる背景画像を表示する背景表示手段を備えている。
【００１１】
ここで、背景表示手段としては、ＬＥＤ（発光ダイオード）等の微小な発光素子を多数配置したものや、ハロゲンランプ等の光源とＬＣＤ（液晶表示素子）等のライトバルブとを組み合わせたものが挙げられるが、画像を表示し、かつ、その表示光が撮影手段に到達可能なものであれば、任意の表示手段を利用可能である。また、背景表示手段は、複数の画素を備える構成であることが好ましい。
【００１２】
上記の構成によると、背景表示手段が被写体の後方に背景画像を表示するから、撮影手段は、背景画像を背景として被写体を撮影することになる。背景表示手段は、背景画像データを受信し、受信した背景画像データに基づいて背景画像を表示する。したがって、背景表示手段は、多種多様な背景画像データを表示することができる。
【００１３】
したがって、本発明の写真プリントシステムは、背景画像としてカーテンを用いる従来の写真プリントシステムに比べて、多種多様な背景を利用することができる。
【００１４】
また、本発明の写真プリントシステムは、画像データを背景画像の合成を行なう従来の写真プリントシステムに比べて、被写体と背景との境界が曖昧となるため、自然な背景とすることができる。
【００１５】
また、本発明の写真プリントシステムは、上記の構成において、上記背景表示手段は、背景画像の一部を表示する部分背景表示手段と、該部分背景表示手段を移動させる部分背景移動手段とを備え、上記部分背景表示手段は、発光素子を複数備えるものであり、上記部分背景移動手段による移動に同期して上記発光素子の表示を変化させることを特徴としている。
【００１６】
上記の構成によると、背景画像の一部を表示する部分背景表示手段は、部分背景移動手段によって移動することにより、背景画像の全体を表示することができる。したがって、背景画像の全体を表示する場合に比べてシステムのコストを抑えることができる。
【００１７】
また、本発明の写真プリントシステムは、上記の構成において、上記背景表示手段が表示する背景画像の作成を行なう背景作成手段を備えることを特徴としている。
【００１８】
上記の構成によると、写真プリントシステムの利用者自身が背景作成手段を用いて背景画像を作成することができるから、利用者独自の背景とすることができ、出力するプリント紙の娯楽性を高めることができる。
【００１９】
また、本発明の写真プリントシステムは、上記の構成において、上記撮影手段と上記背景表示手段との間に、光の伝搬方向を変化させる光偏向手段を備えることを特徴としている。
【００２０】
上記の構成によると、背景表示手段によって表示される背景を光偏向手段によって変化させることができるから、さらに多様な背景とすることができ、出力するプリント紙の娯楽性をさらに高めることができる。
【００２１】
また、本発明の写真プリントシステムは、上記の構成において、上記光偏向手段を移動させる光偏向移動手段を備えることを特徴としている。
【００２２】
上記の構成によると、複数の光偏向手段の中から１つまたは幾つかの光偏向手段を選択し、選択された光偏向手段を光偏向移動手段によって背景表示手段の前に移動させることができる。これにより、複数の光偏向手段の組み合わせて背景を変化させることができるから、さらに多様な背景とすることができ、出力するプリント紙の娯楽性をさらに高めることができる。
【００２３】
また、本発明の写真プリントシステム制御方法は、被写体の撮影を行なう撮影手段と、該撮影に基づいて画像を作成してプリント紙に出力する画像出力手段と、上記撮影手段から見て被写体の後方となる位置にて被写体の背景となる背景画像を表示する背景表示手段とを備えた写真プリントシステムを制御する写真プリントシステム制御方法であって、利用者が上記背景画像を選択または作成し、利用者が選択または作成した上記背景画像を上記背景表示手段が表示するとともに、表示された背景画像を背景として、上記撮影手段が被写体を撮影するように制御を行なうものである。
【００２４】
上記の方法によると、背景表示手段が被写体の後方に背景画像を表示するとともに、撮影手段が背景画像を背景として被写体を撮影するように制御される。前述のように、背景表示手段は、多種多様な背景画像データを表示することができる。したがって、本発明の写真プリントシステム制御方法は、背景画像としてカーテンを用いる従来の写真プリントシステム制御方法に比べて、多種多様な背景で撮影を行なうことができる。
【００２５】
また、本発明の写真プリントシステム制御方法は、画像データを背景画像の合成を行なう従来の写真プリントシステム制御方法に比べて、被写体と背景との境界が曖昧となるため、自然な背景とすることができる。
【００２６】
また、本発明の写真プリントシステム制御方法は、上記の方法において、上記背景表示手段は、背景画像の一部を表示する部分背景表示手段と、該部分背景表示手段を移動させる部分背景移動手段とを備えており、上記部分背景表示手段は、発光素子を複数備え、上記部分背景移動手段による移動に同期して上記発光素子の表示を変化させるものであり、上記撮影手段による被写体の撮影中に、部分背景表示手段を移動するように、部分背景移動手段の制御を行なうことを特徴としている。
【００２７】
上記の方法によると、被写体の撮影中に、背景画像の一部を表示する部分背景表示手段は、部分背景移動手段によって移動することにより、背景画像の全体を表示することができる。したがって、背景画像の全体を表示する場合に比べてシステムのコストを抑えることができる。
【００２８】
また、本発明の写真プリントシステム制御方法は、上記の方法において、上記撮影手段と上記背景表示手段との間に、光の伝搬方向を変化させる光偏向手段と、上記光偏向手段を移動させる光偏向移動手段とをさらに備えており、上記光偏向手段を移動するように、上記光偏向移動手段の制御を行なうことを特徴としている。
【００２９】
上記の方法によると、複数の光偏向手段の中から１つまたは幾つかの光偏向手段を選択し、選択された光偏向手段を光偏向移動手段によって背景表示手段の前に移動させることができる。これにより、複数の光偏向手段の組み合わせて背景を変化させることができるから、さらに多様な背景とすることができ、出力するプリント紙の娯楽性をさらに高めることができる。
【００３０】
なお、上記の写真プリントシステム制御方法を写真プリントシステム制御プログラムとしてコンピュータに実行させることができる。さらに、上記写真プリントシステム制御プログラムをコンピュータ読取り可能な記録媒体に記憶させることにより、任意のコンピュータ上で上記写真プリントシステム制御方法を実行させることができる。
【００３１】
また、本発明のプリント紙ユニットは、上記の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力されることを特徴としている。
【００３２】
上記の構成によれば、識別情報読取手段で読み取った識別情報に基づいて、装着されたプリント紙が、当該写真プリントシステムにおいて利用可能なものであるかを判定し、利用可能である場合にのみプリンタを動作可能とすることが可能となる。すなわち、写真プリントシステムにおいて指定されているプリント紙以外は使用できないように設定することが可能となる。
【００３３】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００３４】
また、識別情報に用紙種類情報を含ませることによって、これらを考慮して画像データの色成分などを補正することにより、その用紙やインクフィルムに的確な画像出力を行なうことが可能となる。
【００３５】
【発明の実施の形態】
本発明の一実施形態について図１〜図１７に基づいて説明すれば、以下のとおりである。図１は、本実施形態における写真プリントシステムの外観を示している。なお、同図では、写真プリントシステム内部の撮影空間を示すため、被写体である利用者の上部および両側に配備される遮蔽幕を省略している。
【００３６】
本実施形態の写真プリントシステム10では、本体装置11および背景装置12が対向して配備されている。なお、本願では、本体装置11の側を「前側」、背景装置12の側を「後側」とする。
【００３７】
本体装置11は、図１および図２に示すように、コイン投入口14、撮影装置15、編集表示パネル16、およびタッチペン17が背面に配備され、プリント排出口19が側面に配備され、プリント出力装置18および制御装置20が内部に配備されている。以下、本体装置11の各構成について説明する。
【００３８】
コイン投入口14は、利用者13が写真プリントシステム10の利用料金として所定のコインを所定枚数だけ投入するための投入口であり、本体装置11の背面の適所に配備される。このコイン投入口14に連通して、コイン処理部（図示せず）が本体装置11の内部に設けられている。
【００３９】
コイン処理部は、所定のコインが投入されたか否かを判定する。所定のコインが投入されたと判定した場合には、制御装置20に通知し、投入されたコインを、コインを蓄積するコイン容器（図示せず）に送り出す。一方、所定のコイン以外のコインが投入されたと判定した場合には、投入されたコインをコイン排出口23に送り出す。
【００４０】
なお、紙幣やコインを所定のコインに両替する両替機が写真プリントシステム10の近くに存在しない場合には、新たに紙幣投入口を設けて、紙幣処理部を設けたり、釣銭処理部を設けたりすることが望ましい。
【００４１】
撮影装置15は、主に利用者13を被写体として写真撮影を行なう装置であり、図２に示されるように、上下方向に移動可能であり、かつ上下方向に傾斜可能であるように本体装置11の背面中央部に配備される。これにより、被写体を様々なアングルから撮影することができる。なお、撮影装置15の移動や傾斜は、利用者13が手動で行なってもよいし、本体装置11にモータ等の駆動装置を設けて本体装置11が自動的に行なうようにしてもよい。
【００４２】
また、撮影装置15には、被写体を撮影する撮影カメラ24が配備される。撮影カメラ24は、例えばレンズ群、絞り、ＣＣＤ(Charge Coupled Device)撮像素子などを備えたデジタルカメラによって構成される。この撮影カメラ24は、全身撮影とクローズアップ撮影との両方に対応できるように、例えば使用するレンズ群および絞りを切り替えられるような構成となっている。
【００４３】
また、撮影装置15の両側には、照明装置22・22が配備される。照明装置34・34は、撮影時にストロボランプなどの写真閃光灯として機能するとともに、通常時の照明として機能するものである。
【００４４】
編集表示パネル16は、本体装置11の中央部であって、撮影装置15の下部に配備される。編集表示パネル16は、各種画像の表示および各種操作ボタンの表示を行なうものである。編集表示パネル16は、例えば液晶表示素子などのフラットパネルディスプレイやＣＲＴなどによって構成されるとともに、その表面にタッチパネルが設けられている。
【００４５】
タッチペン17は、編集表示パネル16の近くに配備される。タッチペン17は、編集表示パネル16におけるタッチパネルを利用して、背景作成、落書きなどの画像描画や、表示されている各種編集ツール、操作ボタンなどの選択を行なうための入力手段である。なお、複数の利用者が容易に編集を行なうようにするために、タッチペン17を複数本配備したり、編集表示パネル16を複数個配備したりすることもできる。
【００４６】
プリント出力装置18は、画像をプリント出力するものであり、本体装置11の内部に配備される。なお、プリント出力装置18の構成については後述する。プリント排出口19は、プリント出力装置18から出力されたプリントシールを本体装置11の外部に排出するものである。プリント排出口19は、本体装置11の両側の何れか一方または両方に配備される。
【００４７】
制御装置20は、本体装置11および背景装置12における各種構成の動作を統括的に制御するものであり、本体装置11の内部に配備される。なお、各種操作上のガイダンス音声や効果音などを出力するスピーカ21・21が本体装置11の背面の適所に配備される。
【００４８】
次に、背景装置12の構成について説明する。背景装置12は、背景を表示する背景表示装置30と、背景表示装置30から照射される背景光を偏向させる背景光偏向装置31と、背景表示装置30および背景光偏向装置31を支持する支持装置32とを備えている。
【００４９】
背景表示装置30は、撮影空間を確保するため、背景装置12の後部に配備される。また、背景表示装置30における背景の表示は、制御装置20によって制御される。なお、背景表示装置30に表示される画像を背景として撮影カメラ24が撮影するために、背景表示装置30から撮影カメラ24に充分な光量を到達させる必要がある。このため、背景表示装置30としては、ＬＥＤなどの発光素子を複数個使用したものや、ハロゲンランプなどの光源と液晶表示素子などのライトバルブとを使用したものが望ましい。
【００５０】
図３〜図５は、背景表示装置30の構成例を示している。以下、背景表示装置30の各構成例について説明する。図３(ａ)では、背景表示装置30は、基体48上に所定の大きさのＬＥＤ40…を水平方向および鉛直方向に所定間隔で多数配列した構成となっている。また、図３（ｂ）では、背景表示装置30は、基体48の対角線上に多数のＬＥＤ40…を配置した構成となっている。
【００５１】
また、図３（ｃ）では、背景表示装置30は、基体48上に大きさの異なるＬＥＤ40…・41…を混合して配置した構成となっている。なお、大きいＬＥＤ41は、小さいＬＥＤ40の集合体として構成することもできる。また、図３(ｄ)では、背景表示装置30は、基体48上にＬＥＤ40を放射状に配置した構成となっている。なお、上記構成のＬＥＤの配置間隔および配置数は、ＬＥＤの大きさおよび明るさにより適宜調節される。
【００５２】
図４(ａ)では、背景表示装置30は、水平方向に細長い基体42上に所定の大きさのＬＥＤを所定間隔で配列し、該基体42を駆動装置（図示せず）により鉛直方向に移動し、この移動に同期して、基体42上のＬＥＤの表示を変化させる構成である。また、図４（ｂ）では、背景表示装置30は、鉛直方向に細長い基体43上に所定の大きさのＬＥＤを所定間隔で配列し、該基体43を駆動装置（図示せず）により水平方向に移動し、この移動に同期して、基体43上のＬＥＤの表示を変化させる構成である。
【００５３】
図４(ｃ)では、背景表示装置30は、細長い基体44上に所定の大きさのＬＥＤを所定間隔で配列し、回転駆動装置（図示せず）により該基体44の一端を回転軸として基体44を回転させ、この回転に同期して、基体44上のＬＥＤの表示を変化させる構成である。また、図４(ｄ)では、背景表示装置30は、細長い基体45上に所定の大きさのＬＥＤを所定間隔で配列し、回転駆動装置（図示せず）により該基体44の中心を回転軸として基体45を回転させ、この回転に同期して、基体45上のＬＥＤの表示を変化させる構成である。
【００５４】
図４に示される構成の背景表示装置30は、図３に示される構成の背景表示装置30に比べて、ＬＥＤの配置数を大幅に減少することができ、安価に背景を構成することができる。
【００５５】
また、図５では、背景表示装置30は、背景面の上端および下端に水平方向に設けたローラ46・46に無端状ベルト47を張架し、該無端状ベルト47上に、図４(ａ)に示された基体42を水平方向に複数個配置し、回転駆動装置（図示せず）がローラ46・46を回転させることにより、基体42…を鉛直方向に移動し、この移動に同期して基体42上のＬＥＤの表示を変化させる構成である。
【００５６】
図５に示される構成の背景表示装置30では、回転駆動装置は、一方向の回転運動のみを駆動すればよい。一方、図４(ａ)に示される構成の背景表示装置30では、駆動装置は、鉛直な２方向に基体42を駆動する必要がある。したがって、図５に示される構成の背景表示装置30は、図４(ａ)に示される構成の背景表示装置30に比べて、駆動装置を簡単な構成とすることができる。
【００５７】
また、図５に示される構成の背景表示装置30は、図４(ａ)に示される構成の背景表示装置30に比べて、基体42の数が増える分ＬＥＤの配置数は増えるが、撮影時間内に背景面全体に画像を表示するために基体42を移動させる距離を短くすることができるから、基体42の移動速度を遅くすることができる。なお、基体42〜45に配列されるＬＥＤは、１列でもよいし、数列でもよい。
【００５８】
背景表示装置30にて表示される背景画像は、制御装置20に記憶された多種多様な画像データの中から利用者13が選択してもよいし、編集表示パネル16およびタッチペン17を用いて利用者13が作成してもよい。
【００５９】
図６は、背景画像を利用者13が作成する場合に、編集表示パネル16に表示される背景作成画面を示している。編集表示パネル16には、背景作成画面70の他に、ペンメニュー71、スタンプメニュー72、色指定メニュー（色パレット）73、点滅指定メニュー74、ペン太さメニュー75、描画消去（消しゴム）ボタン76、戻し（やりなおし）ボタン77、全戻し（初めからやりなおし）ボタン78、および背景作成終了ボタン79が適所に表示されている。
【００６０】
背景作成画面70に表示される画像を、背景表示装置30に実際に表示される画像に近づけるため、背景作成画面70の初期状態での色は、背景表示装置30の初期状態と同様の色であることが望ましい。具体的には、背景表示装置30においてＬＥＤが配置される基体42〜45・48と同様の色（例えば、黒色などの暗い色）であることが望ましい。
【００６１】
背景の作成は、ペン描画機能、スタンプ配置機能、文字入力機能、および特殊効果機能を用いて、背景作成画面70上に描画することにより行なわれる。この背景の作成処理は、撮影画像に対する編集処理と比べて、表示色が制限されること、および絵柄が粗いこと以外は同様である。
【００６２】
ペン描画を行なう場合には、クレヨン、フェルトペン等のペンの種類を指定するペンメニュー71と、ＬＥＤの表現可能な色のみで構成された色指定メニュー73と、背景作成画面70に描画する点の大きさまたは線の太さを指定するペン太さメニュー75とが利用される。利用者13は、タッチペン17を用いて、ペンメニュー71から所望の種類のペンを選択し、色指定メニュー73から所望の色を選択し、ペン太さメニュー75から所望の線の太さを選択した後、背景作成画面70にて描画を行なう。
【００６３】
スタンプ配置を行なう場合には、ＬＥＤで表現可能な色のみで構成されたスタンプ絵柄を指定するスタンプメニュー72が利用される。利用者13は、スタンプメニュー72から所望のスタンプ絵柄を選択して背景作成画面70に配置する。このとき、スタンプ絵柄に点滅属性を設けてもよい。この場合、点滅指定メニュー74により点滅オンを指定すると、背景表示装置30にて表示される背景画像において指定されたスタンプ絵柄を点滅表示させることができる。これにより、背景画像をより複雑に演出することができる。
【００６４】
また、例えば、サッカーボールのスタンプ絵柄を指定した場合、サッカーボールが背景作成画面70内を反射しながら移動する機能を有してもよい。この場合、背景表示装置30における点灯・消灯を逐次制御して、ボールの動きを表現することになる。
【００６５】
文字入力を行なう場合には、色指定メニュー73から文字の色を選択した後、文字指定メニュー（図示せず）から文字の形状、寸法、および種類を選択して、背景作成画面70に文字を入力することができる。
【００６６】
特殊効果機能を利用する場合には、「流れ星」「花火」「天の川」「クリスマスツリー」などの特殊効果メニューの中から利用者13が選択することにより、幻想的な絵柄を配置することができる。例えば、特殊効果として「流れ星」を選択した場合には、図７に示すように、タッチペン17で編集表示パネル16上に軌跡を入力すると、軌跡の終点には流れ星の本体80が点滅して表示され、軌跡に沿って、流れ星の尾が複数の直線81…で表現されるとともに、流れ星の塵82…が下に落ちるように点滅する点で表現されることになる。
【００６７】
なお、図６では、背景作成画面70が格子状に区画され、該区画上にのみ絵柄や線図が配置可能となっている。この理由について以下に説明する。背景表示装置30がＬＥＤなどの発光素子を多数配列する構成である場合、ＬＥＤを背景面全体に隙間無く配列すると、莫大な数の発光素子が必要となり、背景表示装置30が非常に高価なものとなる。したがって、背景表示装置30のコストを抑えるために、発光素子は、背景面全体に所定の間隔で配列されることが望ましい。
【００６８】
しかしながら、発光素子どうしの間隔が広がると、発光素子の配列数を減らすことができるが、背景表示装置30の表示解像度が低下することになる。このため、利用者13が編集表示パネル16上で背景画像をきめ細かく作成しても、背景表示装置30において画質の粗い画像が表示されることになり、結果的に思っていた絵柄とはならないという問題が生じる。
【００６９】
このため、背景作成画面70が格子状に区画され、該区画上にのみ絵柄や線図が配置可能とすることにより、編集表示パネル16にて作成された背景画像と、背景表示装置30にて表示される背景画像との画質を合わせることができる。例えば、背景作成画面70の画素数が640×480であり、背景表示装置30における表示素子の配列数が160×120である場合には、背景作成画面70は、縦４ドット、横４ドットの間隔で区画されることになる。
【００７０】
或いは、編集表示パネル16内に「解像度を落として確認」等のボタンを設け、このボタンを利用者が押した場合、例えば640×480の画像に対して４×４の画素ごとに色を混ぜる処理を行なって、結果を編集表示パネル16上に表示するようにしてもよい。この処理は、一般にはモザイク化処理と呼ばれ、画像処理分野ではセグメント処理と呼ばれている。
【００７１】
図８は、上記のように、利用者13が作成または選択した背景画像を背景表示装置30にて表示して、撮影装置15が撮影を行なった撮影画像を示している。この撮影画像90では、背景の明るい部分92は逆光となるため、被写体91の輪郭がぼやけ、その他の部分は順光となるため、被写体91の輪郭が明確となっている。すなわち、本実施形態では、撮影画像に背景画像を合成する従来の場合に比べて、より写実的な画像を取得することができる。
【００７２】
上述のように、背景表示装置30にて表示された背景画像は、背景光として撮影空間を伝搬して撮影装置15に達することにより、被写体の背景として撮影されることになる。本実施形態では、背景表示装置30と撮影装置15との間に、上記背景光の偏向を行なう背景光偏向装置31が配備される。ここで、光の偏向とは、光の進行方向を変更することをいい、光の屈折、反射、回折などを含むものである。なお、背景光偏向装置31は、被写体13の前側に配置することもできるし、被写体13の後側に配置することもできる。
【００７３】
図９は、背景光偏向装置31として透過型の位相回折格子50を用いた構成例を示している。この位相回折格子50は、一方の面が平坦に形成され、他方の面に凹凸が等間隔に形成されており、平坦な面が前側に、凹凸を有する面が後側になるように配備されている。なお、実施例では、凹凸のピッチＰは0.1mmのオーダであり、凸部における頂角は、鋭角でも鈍角でもよい。
【００７４】
上記の位相回折格子50において、凹凸を有する面から光が入射され、平坦な面から光が出射される場合には、図９に示すように、異なる方向からの入射光を同じ方向へ出射することができる。これにより、例えば図１０(ａ)に示すような背景画像を背景表示装置30にて表示した場合、背景光偏向装置31（位相回折格子50）を透過した光の画像は、図１０(ｂ)に示すように、上記背景画像を複数重ねた画像となる。したがって、位相回折格子50を設けることにより、多様な背景にすることができる。
【００７５】
なお、背景光偏向装置31は、図１１に示すように、シート状の光偏向部品51を前後に複数枚配備することができる。この場合、さらに複雑な背景にすることができる。また、背景光偏向装置31は、図１１に示すように、シート状の光偏向部品51を巻き取って収容する巻取り装置52を配備することができる。この場合、複数の光偏向部品51…の何れかを使用したり、複数の光偏向部品51…の幾つかを組み合わせて使用したりすることができ、さらに多様な背景にすることができる。
【００７６】
図１２は、背景光偏向装置31の他の構成例を示している。この背景光偏向装置31では、背景表示装置30の前方にアクリル板54を配備し、背景表示装置30とアクリル板54との間を覆うように、内面が鏡面状に形成された遮蔽体53が配備される構成である。この場合、背景光偏向装置31は、背景表示装置30に表示された背景画像に対して、万華鏡のように幻想的な背景にすることができる。なお、背景表示装置30および背景光偏向装置31のこの構成を複数個配備してもよい。
【００７７】
背景光偏向装置31の他の構成例としては、図３〜図５に示された背景表示装置30の構成例に対して、発光素子（ＬＥＤ）を光偏向部品に置き換えた構成が挙げられる。特に、図４および図５に示された背景表示装置30の構成例と同様に、光偏向部品の移動または回転を行なうことにより、背景を多様に変化させることができる。
【００７８】
また、光偏向部品がビニール状であって柔軟に折曲げ可能な薄膜で構成される場合は、背景装置12の天井部にカーテンレールのような移動レールを設け、上記薄膜をカーテンのように移動可能に配備してもよい。これにより、上記薄膜がカーテンのように波状となり、背景光の偏向方向が複雑に構成され、より幻想的な背景絵柄を取得することができる。
【００７９】
さらに、上記薄膜を短冊状に分割することもできる。この場合、利用者がのれんから体の一部を出しながら、かつ、のれん状部品の光学特性により、背景光を細かく偏向することで、幻想的な背景を演出することができる。
【００８０】
また、光偏向部品が光源からの距離により光学的特性が変化するようなものを使用する場合には、光偏向部品が配備される背景光偏向装置31は、背景表示装置30との距離が調節可能であることが望ましい。この場合、背景表示装置30と背景光偏向装置31との距離を変更することにより背景を変化させることができるから、多様な背景絵柄の演出が可能となる。なお、前記距離の調節は、利用者が手動で行なってもよいし、モータなどで電気的に行なってもよい。
【００８１】
以上のように、背景光偏向装置31としては、様々な構成例が考えられ、各構成例が背景を様々に変化させることができるから、背景表示装置30に表示された背景画像に基づいて、多種多様な背景を演出することができる。
【００８２】
図１３は、制御装置20を中心とした写真プリントシステム10の構成を示している。制御装置20は、写真プリントシステム10内における上述した各種構成の動作を統括的に制御するものである。この制御装置20は、例えばＰＣベースのコンピュータによって構成される。そして、各種構成の動作制御は、制御プログラムをコンピュータに実行させることによって行なわれる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置20がインターネットなどの通信ネットワークに接続された構成とする場合、この通信ネットワークを介して上記プログラムをダウンロードしてハードディスクなどにインストールして実行する形態なども考えられる。
【００８３】
制御装置20は、上記したハードディスクなどの不揮発性の記憶装置によって構成される記憶部64を備える。この記憶部64に記憶される内容としては、上記した制御プログラム、ＯＳ(Operating System)プログラム、およびその他各種プログラム、撮影装置15における動作設定値、背景表示装置30に表示させる多数の背景画像の画像データ、撮影した画像および編集した画像の画像データなどが挙げられる。上記の撮影装置15における動作設定値としては、装置出荷時やメンテナンス時などに設定されるホワイトバランスの値、撮影画像の明暗などを調整する際の画像処理に関する各種パラメータ値などが挙げられる。
【００８４】
コイン処理装置60は、前述のように、コイン投入口14から所定のコインが投入されたと判定すると、制御装置20に通知するものである。制御装置20は、コイン処理装置60からの通知を受け取ると、課金処理を行なう。すなわち、制御装置20は、コイン処理装置60からの通知をカウントし、利用者13が投入した金額に応じて、利用者13に対する動作を制御する。
【００８５】
背景表示装置30は、前述のように、背景面において背景画像を表示するものである。制御装置20は、背景表示装置30における背景画像の表示を背景表示制御部61にて制御している。すなわち、背景表示制御部61は、背景表示装置30に背景画像となる画像データを送信する。また、背景表示装置30が図４および図５に示すように、背景面の一部を表示する表示部と該表示部を移動または回転させる駆動部とを備える構成の場合、背景表示制御部61は、前記駆動部を制御するとともに、該駆動部の駆動により前記表示部が移動または回転することに同期して、表示部の位置に対応する背景画像の一部を画像データとして送信する。これにより、背景面に背景画像を表示することができる。
【００８６】
背景光偏向装置31は、前述のように、背景光を偏向することにより背景を変化させるものである。背景光偏向装置31は、前述のように移動可能または回転可能に配備されている場合には、背景光偏向装置31の移動または回転を行なう背景光偏向駆動装置62を配備することが望ましい。この場合、制御装置20は、背景光偏向駆動装置62による背景光偏向装置31の駆動および停止を背景光偏向制御部63にて制御している。
【００８７】
プリント出力装置18は、ＩＤタグリーダ／ライタ65およびプリンタ67を備える構成である。このプリント出力装置18に対して、写真プリントの出力媒体となるプリント紙68およびＩＤタグ（識別媒体）66がプリント紙ユニットとしてセットで納入されるようになっている。
【００８８】
プリンタ67は、出力すべき画像データが制御装置20から送られてくると、その画像データに基づいてプリント紙68に印刷するものである。このプリンタ67としては、例えば昇華型プリンタが用いられる。なお、昇華型プリンタを用いる場合には、プリント紙68およびＩＤタグ66に加えて、昇華型用インクフィルムがセットととなって納入されることになる。
【００８９】
ＩＤタグリーダ／ライタ65は、ＩＤタグ66に記録されている各種識別情報を読み出して制御装置20に出力する。ＩＤタグ66は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００９０】
制御装置20は、ＩＤタグリーダ／ライタ65で読み取った識別情報に基づいて、装着されたプリント紙68およびインクフィルムが、当該写真プリントシステム10において利用可能なものであるかを判定し、利用可能である場合にのみプリンタ67を動作可能とする。すなわち、写真プリントシステム10において指定されているプリント紙68およびインクフィルム以外は使用できないように設定されていることになる。
【００９１】
また、ＩＤタグ66に記録されている用紙枚数情報に基づいて、プリント紙の使用ごとに用紙枚数をカウントダウンしていくことによって、残りの用紙枚数を把握することが可能となる。よって、残りの用紙枚数が少なくなってきた際に、これを表示手段などによって警告するような構成としておけば、利用者13の利用中に用紙切れを起こすというような不具合を回避することが可能となる。
【００９２】
なお、用紙枚数をカウントダウンする際には、ＩＤタグ66に記録されている用紙枚数情報も書き換えることが望ましい。これにより、用紙を使い切った場合には、ＩＤタグ66に記録されている用紙枚数情報も０となり、このＩＤタグ66を無効にすることが可能となる。
【００９３】
また、ＩＤタグ66に記録されている用紙種類情報や、インク固有の色情報を読み出すことによって、これらを考慮して画像データの色成分などを補正することにより、そのプリント紙68やインクフィルムに的確な画像出力を行なうことが可能となる。
【００９４】
ＩＤタグ66としては、無線（ワイヤレス）によりデータ通信を行なうことが可能な非接触型ＩＤタグと、端子が設けられた接触型ＩＤタグとがあり、ＩＤタグリーダ／ライタ65としては、これらの何れか一方あるいは両方に対応したものとなる。
【００９５】
なお、上記の例では、利用可能なプリント紙68であるか否かを確認するために、ＩＤタグ66を利用しているが、これに限定されるものではなく、例えば、プリント紙68およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００９６】
なお、上記のプリント紙68としては、通常の紙状媒体である紙状シートであってもよいし、粘着シートおよび該粘着シールの粘着面に貼り付けられている剥離シートからなるシールシートであってもよい。
【００９７】
上記構成の写真プリントシステム10において、利用者13による撮影から編集、出力に至るプレイ動作について、図１４〜図１７に基づいて説明する。まず、利用者13がコイン投入口14から代金としてコインを投入するまで待機する（ステップＳ10。以下、単に「Ｓ10」と記載する。他のステップについても同様である。）。コインが投入されると、コイン処理装置60から制御装置20にコインの投入が通知されることにより課金処理が行なわれる。課金処理が正常に完了したことが確認されると、プレイ動作が開始され、以下の処理が行なわれる。
【００９８】
まず、背景画像を作成または選択する処理である背景作成・選択処理を行なう（Ｓ11）。この処理動作の詳細を図１５に示す。まず、利用者13自身が背景画像を作成するか否かを判断させる（Ｓ20）。背景画像を作成する場合には、図６に示す背景画像作成画面を編集表示パネル16に表示して、利用者13に背景画像を作成させる（Ｓ21）。背景画像を作成しない場合には、記憶部64に記憶された背景画像の一覧を編集表示パネル16に表示して（Ｓ22）、利用者13に背景画像を選択させる（Ｓ23）。その後、背景作成・選択処理（Ｓ11）を終了して、元の処理動作に戻る。
【００９９】
次に、背景表示装置30による背景の表示方法を選択する処理である背景表示方法選択処理を行なう（Ｓ12）。この処理動作の詳細を図１６に示す。まず、編集表示パネル16に背景画像の表示パターン（表示方法）一覧を表示して（Ｓ30）、利用者13に背景画像の表示パターンを選択させる（Ｓ31）。次に、選択された表示パターンで、背景表示装置30に背景画像を実際に表示する（Ｓ32）。
【０１００】
そして、撮影装置15が撮影するライブビュー画像を編集表示パネル16に表示して、表示結果を利用者13が確認する（Ｓ33）。このとき、表示結果では不満足な場合には、ステップＳ30に戻って上記の動作を繰り返す。一方、表示結果で満足な場合には、背景表示方法選択処理（Ｓ12）を終了して、元の処理動作に戻る。
【０１０１】
次に、背景光偏向装置31による背景光の偏向方法を選択する処理である背景光偏向方法選択処理を行なう（Ｓ13）。この処理動作の詳細を図１７に示す。まず、編集表示パネル16に背景光の偏向パターン（偏向方法）一覧を表示して（Ｓ40）、利用者13に背景光の偏向パターンを選択させる（Ｓ41）。
【０１０２】
次に、選択された偏向パターンで、背景光偏向装置31を移動または回転させるとともに、背景作成・選択処理（Ｓ11）にて作成または選択された背景画像を、背景表示方法選択処理（Ｓ12）にて選択された表示パターンで背景表示装置30に表示する（Ｓ42）。
【０１０３】
そして、撮影装置15が撮影するライブビュー画像を編集表示パネル16に表示して、表示結果を利用者13が確認する（Ｓ43）。このとき、表示結果では不満足な場合には、ステップＳ40に戻って上記の動作を繰り返す。一方、表示結果で満足な場合には、背景光偏向方法選択処理（Ｓ13）を終了して、元の処理動作に戻る。
【０１０４】
以上のように、背景の表示が決定された後、利用者13は、編集表示パネル16に表示される撮影画像を見ながら、所望のポーズをとり、所望のタイミングで「撮影開始ボタン」を押して撮影を行なう（Ｓ14）。
【０１０５】
撮影終了後、撮影装置15が撮影した撮影画像に対して、落書きなどの編集処理を行なう（Ｓ15）。なお、編集処理の内容については、図６に示す背景作成処理と同様であるので、本願ではその説明を省略する。
【０１０６】
次に、プリント紙68上での分割数または分割パターンを利用者13に選択させ（Ｓ16）、選択された分割領域ごとに、ステップＳ15にて編集処理された編集画像が印刷されるように、プリンタ67を制御して印刷を行なう（Ｓ17）。このとき、利用者13は、本体装置11の側面に形成されたプリント排出口19近くで、印刷されたプリント紙68が排出されるまで待機する。印刷終了後、再びステップＳ10に戻って、上記動作を繰り返す。
【０１０７】
したがって、本実施形態の写真プリントシステム10は、背景表示装置30にて表示される画像を実際の背景として撮影することができるから、撮影画像に背景画像を合成する従来の写真プリントシステムに比べて、より写実的な画像を取得することができる。
【０１０８】
また、本実施形態の写真プリントシステム10は、背景表示装置30に送信される画像データを変更することにより、背景表示装置30に表示される背景画像を変更することができるから、複数の背景用カーテンを利用する従来の写真プリントシステム10に比べて、多種多様な撮影画像を取得することができる。
【０１０９】
また、本実施形態の写真プリントシステム10は、背景表示装置30にて表示された背景画像を背景光偏向装置31により多様に変化させることができるから、さらに多様な撮影画像を取得することができる。
【０１１０】
また、本実施形態の写真プリントシステム10は、編集表示パネル16およびタッチペン17を用いて、利用者13自身が背景画像を作成することができるから、利用者独自の背景で撮影することができ、出力するプリント紙の娯楽性を高めることができる。
【０１１１】
なお、本実施形態では、撮影装置15を上方に移動し、下方斜めに向けて利用者13を撮影することができる。この場合、床面が背景として撮影されることになる。したがって、本実施形態の写真プリントシステム10では、床面にも背景表示装置30を配備することが望ましい。このとき、床面が背景として撮影されない場合であっても、床面に設けた背景表示装置30にて表示を行なうことにより、利用者13の足下から光が照射されることになり、補助照明として利用者13の写りを演出することができる。このように、背景表示装置30は、撮影空間において、撮影装置15により背景として撮影される任意の場所に配備することができる。
【０１１２】
また、背景表示装置30の構成を補助照明として利用するのであれば、照明装置22・22のように、利用者と対向する位置に背景表示装置30の構成を配備することもできる。
【０１１３】
【発明の効果】
以上のように、本発明の写真プリントシステムは、被写体の撮影を行なう撮影手段と、該撮影に基づいて画像を作成してプリント紙に出力する画像出力手段とを備える写真プリントシステムにおいて、上記撮影手段から見て被写体の後方となる位置にて被写体の背景となる背景画像を表示する背景表示手段を備える構成である。
【０１１４】
これにより、背景表示手段が多種多様な背景画像データを表示できるから、多種多様な背景を利用できるという効果を奏するとともに、被写体と背景との境界が曖昧となるため、自然な背景とすることができるという効果を奏する。
【０１１５】
また、本発明の写真プリントシステムは、以上のように、上記の構成において、上記背景表示手段は、背景画像の一部を表示する部分背景表示手段と、該部分背景表示手段を移動させる部分背景移動手段とを備え、上記部分背景表示手段は、発光素子を複数備えるものであり、上記部分背景移動手段による移動に同期して上記発光素子の表示を変化させる構成である。
【０１１６】
これにより、背景画像の全体を表示する場合に比べてシステムのコストを抑えることができるという効果を奏する。
【０１１７】
また、本発明の写真プリントシステムは、以上のように、上記の構成において、上記背景表示手段が表示する背景画像の作成を行なう背景作成手段を備える構成である。
【０１１８】
これにより、写真プリントシステムの利用者自身が背景作成手段を用いて背景画像を作成することができるから、利用者独自の背景とすることができ、出力するプリント紙の娯楽性を高めることができるという効果を奏する。
【０１１９】
また、本発明の写真プリントシステムは、以上のように、上記の構成において、上記撮影手段と上記背景表示手段との間に、光の伝搬方向を変化させる光偏向手段を備えることを特徴としている。
【０１２０】
これにより、背景表示手段によって表示される背景を光偏向手段によって変化させることができるから、さらに多様な背景とすることができ、出力するプリント紙の娯楽性をさらに高めることができるという効果を奏する。
【０１２１】
また、本発明の写真プリントシステムは、以上のように、上記の構成において、上記光偏向手段を移動させる光偏向移動手段を備える構成である。
【０１２２】
これにより、複数の光偏向手段の組み合わせて背景を変化させることができるから、さらに多様な背景とすることができ、出力するプリント紙の娯楽性をさらに高めることができる。
【０１２３】
また、本発明の写真プリントシステム制御方法は、以上のように、被写体の撮影を行なう撮影手段と、該撮影に基づいて画像を作成してプリント紙に出力する画像出力手段と、上記撮影手段から見て被写体の後方となる位置にて被写体の背景となる背景画像を表示する背景表示手段とを備えた写真プリントシステムを制御する写真プリントシステム制御方法であって、利用者が上記背景画像を選択または作成し、利用者が選択または作成した上記背景画像を上記背景表示手段が表示するとともに、表示された背景画像を背景として、上記撮影手段が被写体を撮影するように制御を行なう方法である。
【０１２４】
これにより、背景表示手段が多種多様な背景画像データを表示できるから、多種多様な背景で撮影を行なうことができるという効果を奏するとともに、被写体と背景との境界が曖昧となるため、自然な背景とすることができるという効果を奏する。
【０１２５】
また、本発明の写真プリントシステム制御方法は、以上のように、上記の方法において、上記背景表示手段は、背景画像の一部を表示する部分背景表示手段と、該部分背景表示手段を移動させる部分背景移動手段とを備えており、上記部分背景表示手段は、発光素子を複数備え、上記部分背景移動手段による移動に同期して上記発光素子の表示を変化させるものであり、上記撮影手段による被写体の撮影中に、部分背景表示手段を移動するように、部分背景移動手段の制御を行なう方法である。
【０１２６】
これにより、背景画像の全体を表示する場合に比べてシステムのコストを抑えることができるという効果を奏する。
【０１２７】
また、本発明の写真プリントシステム制御方法は、以上のように、上記の方法において、上記撮影手段と上記背景表示手段との間に、光の伝搬方向を変化させる光偏向手段と、上記光偏向手段を移動させる光偏向移動手段とをさらに備えており、上記光偏向手段を移動するように、上記光偏向移動手段の制御を行なう方法である。
【０１２８】
これにより、複数の光偏向手段の組み合わせて背景を変化させることができるから、さらに多様な背景とすることができ、出力するプリント紙の娯楽性をさらに高めることができるという効果を奏する。
【０１２９】
なお、上記の写真プリントシステム制御方法を写真プリントシステム制御プログラムとしてコンピュータに実行させることができる。さらに、上記写真プリントシステム制御プログラムをコンピュータ読取り可能な記録媒体に記憶させることにより、任意のコンピュータ上で上記写真プリントシステム制御方法を実行させることができる。
【０１３０】
また、本発明のプリント紙ユニットは、以上のように、上記の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力される構成である。
【０１３１】
これにより、写真プリントシステムにおいて指定されているプリント紙以外は使用できないように設定することが可能となるという効果を奏する。
【０１３２】
また、識別情報に用紙枚数情報を含ませることによって、プリント紙を使用するごとに用紙枚数をカウントダウンすることにより、残りの用紙枚数を把握することが可能となるという効果を奏する。
【０１３３】
また、識別情報に用紙種類情報を含ませることによって、これらを考慮して画像データの色成分などを補正することにより、その用紙やインクフィルムに的確な画像出力を行なうことが可能となるという効果を奏する。
【図面の簡単な説明】
【図１】本発明の一実施形態である写真プリントシステムの概要を示す図であり、同図(ａ)は平面図であり、同図(ｂ)は側面図である。
【図２】本実施形態における本体装置の概要を示す背面図である。
【図３】同図(ａ)〜(ｄ)は、本実施形態における背景表示装置の構成例を示す正面図である。
【図４】同図(ａ)〜(ｄ)は、本実施形態における背景表示装置の構成例を示す正面図である。
【図５】本実施形態における背景表示装置の構成例を示す斜視図である。
【図６】本実施形態における背景作成画面を示す図である。
【図７】図６に示す背景作成画面における特殊効果の表示例を示す図である。
【図８】本実施形態において撮影装置により撮影された撮影画像を示す図である。
【図９】本実施形態における背景光偏向装置の構成例を示す平面図である。
【図１０】同図(ａ)は、背景表示装置から出射される画像を示す正面図であり、同図(ｂ)は、背景光偏向装置から出射される画像を示す正面図である。
【図１１】本実施形態における背景光偏向装置の構成例を示す側面図である。
【図１２】同図(ａ)および(ｂ)は、本実施形態における背景光偏向装置の構成例を示す斜視図である。
【図１３】本実施形態の写真プリントシステムの概略構成を示すブロック図である。
【図１４】本実施形態の写真プリントシステムにおける処理の流れを示すフローチャートである。
【図１５】図１４に示す背景作成・選択処理の詳細を示すフローチャートである。
【図１６】図１４に示す背景表示方法選択処理の詳細を示すフローチャートである。
【図１７】図１４に示す背景光偏向方法選択処理の詳細を示すフローチャートである。
【符号の説明】
１０    写真プリントシステム
１１    本体装置
１３    利用者（被写体）
１５    撮影装置（撮影手段）
１６    編集表示パネル（背景作成手段）
１７    タッチペン（背景作成手段）
１８    プリント出力装置（画像出力手段）
３０    背景表示装置（背景表示手段）
３１    背景光偏向装置（光偏向手段）
４２・４３・４４・４５    基体（部分背景表示手段）
４６    ローラ（部分背景移動手段）
４７    ベルト（部分背景移動手段）
５２    巻取り装置（光偏向移動手段）
６５    ＩＤタグリーダ／ライタ（識別情報読取手段）
６６    ＩＤタグ（識別媒体）
６７    プリンタ（画像出力手段）
６８    プリント紙
【図１】
0004296336.tif 000002
【図２】
0004296336.tif 000003
【図３】
0004296336.tif 000004
【図４】
0004296336.tif 000005
【図５】
0004296336.tif 000006
【図６】
0004296336.tif 000007
【図７】
0004296336.tif 000008
【図８】
0004296336.tif 000009
【図９】
0004296336.tif 000010
【図１０】
0004296336.tif 000011
【図１１】
0004296336.tif 000012
【図１２】
0004296336.tif 000013
【図１３】
0004296336.tif 000014
【図１４】
0004296336.tif 000015
【図１５】
0004296336.tif 000016
【図１６】
0004296336.tif 000017
【図１７】
0004296336.tif 000018